(57)【特許請求の範囲】
【請求項１】
エアゾール容器における静止モード位置への第１の方向に弾性力で付勢されて、定量室流入弁作用を呈するステムと、
当該ステムに固定されて定量室流出弁作用を呈する弁部材と、
当該弁部材に、前記第１の方向およびこれとは逆の第２の方向に移動できる態様で取り付けられて、当該弁部材とともに定量室流出弁作用を呈し、かつ、噴射対象部に押付けられる剣山式の複数の凸状部，外部空間域への噴射通路部および定量室形成用筒状部を有する縦方向押付け操作部材と、
当該縦方向押付け操作部材を前記第２の方向に駆動する横方向押圧操作部材と、
前記ステム，前記弁部材および前記縦方向押付け操作部材により画定される内容物貯留用の定量室と、
前記ステムの弁作用部分であって、
前記縦方向押付け操作部材または前記横方向押圧操作部材の噴射操作により、前記ステムが前記弾性力に抗する形で前記第２の方向に移動して前記定量室に容器本体側の内容物が流入する開状態へと移行し、かつ、前記噴射操作がともに行われていない場合には、前記ステムに対する前記第１の方向への前記弾性力の付勢作用により閉状態に保持される定量室流入弁と、
前記弁部材および前記縦方向押付け操作部材の間の弁作用部分であって、
前記噴射操作のいずれの場合にも当該縦方向押付け操作部材の前記第２の方向への移動により閉状態を保持し、かつ、当該噴射操作がともに解除された後には当該縦方向押付け操作部材に対する前記第１の方向への作用力により開状態へと移行して、前記定量室の内容物を前記噴射通路部へ流出させる定量室流出弁と、
を備えていることを特徴とするアクチュエータ倒立定量噴射機構。
【請求項２】
前記縦方向押付け操作部材は、
前記横方向押圧操作部材の噴射操作時の移動に基づいて前記第２の方向へ駆動される少なくとも一対の第１のカム作用部を、前記定量室形成用筒状部の外周面に有し、
前記横方向押圧操作部材は、
前記噴射操作時に前記第１のカム作用部と当接する第２のカム作用部を、少なくとも一対の腕部の形で有している、
ことを特徴とする請求項１記載のアクチュエータ倒立定量噴射機構。
【請求項３】
前記噴射操作の際も前記容器本体側に取り付けられたままの肩カバーを備え、
当該肩カバーは、
前記横方向押圧操作部材の噴射操作時の横方向への移動を案内するためのガイド部を有している、
ことを特徴とする請求項１または２記載のアクチュエータ倒立定量噴射機構。
【請求項４】
前記縦方向押付け操作部材に対する前記第１の方向への作用力は、
前記定量室に収容された噴射用ガスの圧力である、
ことを特徴とする請求項１乃至３のいずれか１項に記載のアクチュエータ倒立定量噴射機構。
【請求項５】
前記容器本体側に取り付けられて前記ステムの下側部分および前記弾性力の付与部材を収容し、前記定量室流入弁の上流空間域として作用するハウジングを備え、
当該ハウジングは、
容器倒立状態における内容物流入用開口部を周面部分に有している、
ことを特徴とする請求項１乃至４のいずれか１項に記載のアクチュエータ倒立定量噴射機構。
【請求項６】
請求項１乃至５のいずれか１項に記載のアクチュエータ倒立定量噴射機構を備え、かつ、噴射剤および内容物を収容した、
ことを特徴とするエアゾール式製品。
【発明の詳細な説明】
【技術分野】
【０００１】
本発明は、液化ガスまたは可溶性圧縮ガスを使用するエアゾール式製品のアクチュエータ倒立定量噴射機構に関する。【０００２】
このアクチュエータ倒立定量噴射機構は、エアゾール式製品の噴射操作に基づき、先ずアクチュエータ内部の定量室流出弁が閉じてステムの定量室流入弁が開くことにより、定量室空間域に容器本体内容物（ハウジング内容物）が流入して貯留され、その後、ステムが静止モード位置へ復帰して定量室流入弁が閉じることにより、定量室の貯留内容物が、その液化ガスや可溶性圧縮ガスの作用（または弾性部材の作用）によって開状態となった定量室流出弁から外部空間域へと噴射されるタイプのものである。【０００３】
特に、倒立定量噴射用操作部材として、頭皮などの噴射対象部に押付けられる剣山式の複数の凸状部などを形成した縦方向押付け操作部材に加えて、当該縦方向押付け操作部材をその押付け方向に駆動するための横方向押圧操作部材を設けることにより、倒立定量噴射操作上の利便性を確保したアクチュエータ倒立定量噴射機構に関する。【０００４】
本明細書では「アクチュエータ」の語を、エアゾール容器のバルブ作用を呈するステムに取り付けられて内容物を外部空間域に噴射するための作動部の意で用いる。【０００５】
例えば図１〜図５の倒立定量噴射機構において、弁部材５，可動部材６，押付け操作部材７および押圧操作レバー８の全体が「アクチュエータ」に相当する。【０００６】
また、「上下」，「縦」の語をステム，アクチュエータなどの長手方向、すなわち各図の縦方向を示す意で用い、「横」の語をこの「上下」，「縦」に対する直交方向あるいは斜め方向を示す意で用いる。
【背景技術】
【０００７】
本件出願人はすでに上記タイプのアクチュエータ定量噴射機構、すなわち定量噴射操作に基づいて先ず定量室流出弁が閉じた状態の定量室に容器本体の内容物を流入させて貯留し、その後、定量室流出弁が開いて定量室の貯留内容物を外部空間域に噴射するタイプのアクチュエータ定量噴射機構を提案している（特許文献１，２参照）。【０００８】
特許文献１のアクチュエータ定量噴射機構は、図６に示すように、
・ステム２１
・ステム２１に取り付けられた弁座部２２（本発明の弁部材に対応）
・ステム２１および弁座部２２の一体化部材に対して上下動可能な態様で設定された操作ボタン本体２５（本発明の押付け操作部材に対応）
・弁座部２２と操作ボタン本体２５との間に設けられてこのボタン本体を上方向に付勢する操作ボタン用コイルスプリング２３
などの構成部材からなる。【０００９】
そして、弁座部２２の環状弁座２４および操作ボタン本体２５の環状弁体２６で定量室流出弁を構成している。【００１０】
操作ボタン本体２５を押下げていない静止モードの場合、操作ボタン用コイルスプリング２３の弾性力により定量室流出弁が開いている。
このときステム２１の定量室流入弁（＝内容物通過用のステム周面孔部とこれを開閉する周知のステムガスケットとからなる弁）が周知のステム用コイルスプリングの作用により閉じている、ことは勿論である。【００１１】
なお、周知のステム用コイルスプリングおよびステムガスケットは、それぞれ図１〜図５のステム用コイルスプリング１０，ステムガスケット１１と同様のものである。【００１２】
操作ボタン本体２５をその静止モードの位置から押下げると、先ず当該ボタン本体のみが操作ボタン用コイルスプリング２３の弾性力に抗しながら下動して定量室流出弁が閉じる。【００１３】
定量室流出弁が閉じた後は、ステム２１，弁座部２２および操作ボタン本体２５が一体となって、すなわち定量室流出弁が閉じたまま下動して定量室流入弁が開き、容器本体の内容物が定量室に入り込んで貯留される。【００１４】
次に、利用者が操作ボタンの押下げ操作を止めると、ステム２１がステム用コイルスプリングの弾性作用により上動して定量室流入弁は閉じ、かつ、操作ボタン本体２５が操作ボタン用コイルスプリング２３の弾性作用により（弁座部２２に対して）上動して定量室流出弁は開く。そのため、定量室の貯留内容物のみが外部空間域に噴射される。【００１５】
本件出願人は、以上のアクチュエータ定量噴射機構について更なる考察，検討，試作を重ねた結果、操作ボタン本体付勢用の操作ボタン用コイルスプリングを省略しても、ステムの静止モードへの復帰の際に、定量室の出力弁が定量室内部の液化ガスや可溶性圧縮ガスの圧力で「開」状態になる、すなわち定量室の貯留内容物が外部空間域に確実に噴射されることを検証した。【００１６】
特許文献２のアクチュエータ定量噴射機構は、この検証に基づくものであり、操作ボタン用コイルスプリング１３を省略した形のアクチュエータ定量噴射機構になっている。
【先行技術文献】
【特許文献】
【００１７】
【特許文献１】特開２００３−２９９９９１号公報
【特許文献２】特開２００７−２０４１３８号公報
【発明の開示】
【発明が解決しようとする課題】
【００１８】
本発明は、本件出願人にかかるこのようなアクチュエータ定量噴射機構の開発のいわば延長線上のものであり、上述の操作ボタン用コイルスプリング２３を省略できるかどうかとは別の観点からのアプローチに基づいている。【００１９】
すなわち、頭皮などの噴射対象部位に押付けられる剣山式の縦方向に移動可能な押付け操作部材を備えたアクチュエータ倒立定量噴射機構に、当該縦方向押付け操作部材をその被押付け方向に駆動するための横方向に移動可能な押圧操作部材を付加して、倒立定量噴射操作上の利便性を高めることを目的とする。【００２０】
この目的は、操作ボタン用コイルスプリング２３を省略した形のアクチュエータ倒立定量噴射機構および、当該操作ボタン用コイルスプリングを設けたままのアクチュエータ倒立定量噴射機構のいずれにも妥当する。
【課題を解決するための手段】
【００２１】
本発明は、以上の課題を次のようにして解決する。
（１）アクチュエータ倒立定量噴射機構において、
エアゾール容器における静止モード位置への第１の方向（例えば図１，図２の上方向）に弾性力で付勢されて、定量室流入弁作用を呈するステム（例えば後述のステム４）と、
当該ステムに固定されて定量室流出弁作用を呈する弁部材（例えば後述の弁部材５）と、
当該弁部材に、前記第１の方向およびこれとは逆の第２の方向（例えば図１，図２の下方向）に移動できる態様で取り付けられて、当該弁部材とともに定量室流出弁作用を呈し、かつ、噴射対象部（例えば後述の頭皮１３）に押付けられる剣山式の複数の凸状部（例えば後述の凸状部７ｅ），外部空間域への噴射通路部（例えば後述の通路部７ｂ）および定量室形成用筒状部（例えば後述の可動部材６）を有する縦方向押付け操作部材（例えば後述の押付け操作部材７）と、
当該縦方向押付け操作部材を前記第２の方向に駆動する横方向押圧操作部材（例えば後述の押圧操作レバー８）と、
前記ステム，前記弁部材および前記縦方向押付け操作部材により画定される内容物貯留用の定量室（例えば後述の定量室Ａ）と、
前記ステムの弁作用部分であって、
前記縦方向押付け操作部材または前記横方向押圧操作部材の噴射操作により、前記ステムが前記弾性力に抗する形で前記第２の方向に移動して前記定量室に容器本体側の内容物が流入する開状態へと移行し、かつ、前記噴射操作がともに行われていない場合には、前記ステムに対する前記第１の方向への前記弾性力の付勢作用により閉状態に保持される定量室流入弁（例えば後述の横孔部４ｂ）と、
前記弁部材および前記縦方向押付け操作部材の間の弁作用部分であって、
前記噴射操作のいずれの場合にも当該縦方向押付け操作部材の前記第２の方向への移動により閉状態を保持し、かつ、当該噴射操作がともに解除された後には当該縦方向押付け操作部材に対する前記第１の方向への作用力により開状態へと移行して、前記定量室の内容物を前記噴射通路部へ流出させる定量室流出弁（例えば後述の中央円錐台状部５ａおよび円形縁部分７ｄ）と、
を備える。
（２）上記（１）において、
前記縦方向押付け操作部材は、
前記横方向押圧操作部材の噴射操作時の移動に基づいて前記第２の方向へ駆動される少なくとも一対の第１のカム作用部（例えば後述の従動凸状部６ｅ）を、前記定量室形成用筒状部の外周面に有し、
前記横方向押圧操作部材は、
前記噴射操作時に前記第１のカム作用部と当接する第２のカム作用部を、少なくとも一対の腕部（例えば後述の直線状腕部８ｃ）の形で有している。
（３）上記（１），（２）において、
前記噴射操作の際も前記容器本体側に取り付けられたままの肩カバー（例えば後述の肩カバー９）を備え、
当該肩カバーは、
前記横方向押圧操作部材の噴射操作時の横方向への移動を案内するためのガイド部（例えば後述の開口部９ｃ，正立時上側連結部９ｊ，棚面案内部９ｋ）を有している。
（４）上記（１）〜（３）において、
前記縦方向押付け操作部材に対する前記第１の方向への作用力として、
前記定量室に収容された噴射用ガスの圧力を用いる。
（５）上記（１）〜（４）において、
前記容器本体側に取り付けられて前記ステムの下側部分および前記弾性力の付与部材（例えば後述のステム用コイルスプリング１０）を収容し、前記定量室流入弁の上流空間域として作用するハウジング（例えば後述のハウジング３）を備え、
当該ハウジングは、
容器倒立状態における内容物流入用開口部（例えば後述の切欠状部３ａ）を周面部分に有している。【００２２】
このような構成からなるアクチュエータ倒立定量噴射機構および、当該アクチュエータ倒立定量噴射機構を備えたエアゾール式製品を本発明の対象としている。
【発明の効果】
【００２３】
本発明は、倒立定量噴射用の操作部材として、頭皮などの噴射対象部に押付けられる剣山式の複数の凸状部などを形成した縦方向に移動可能な押付け操作部材だけではなく、当該縦方向押付け操作部材をその被押付け方向に駆動するための横方向に移動可能な押圧操作部材も用いているので、倒立定量噴射操作上の利便性を確保することができる。【００２４】
例えば頭皮への弱い押付け状態（＝ステムが十分に倒立上方向に駆動されずに定量室流入弁がいわば開ききっていない状態）でこの倒立定量噴射機構を用いる場合にも、利用者が横方向押圧操作部材を内側に押すことにより、ステムは、頭皮への強い押付け時と同じように定量室流入弁の十全な開状態へと確実に移動する。
【図面の簡単な説明】
【００２５】
【図１】本発明のアクチュエータ倒立定量噴射機構の静止モード（縦方向および横方向の噴射操作がともに行われずに、少なくとも定量室流入弁が閉じた状態）を示している。
【図２】図１のアクチュエータ倒立定量噴射機構の横方向押圧操作部材の腕部と定量室形成用筒状部の外周面との間の各カム作用部を示している。
【図３】図１のアクチュエータ倒立定量噴射機構の定量室流入モード（その１：縦方向押付け操作部材を頭皮に押し付けて定量室流入弁が開き、定量室流出弁が閉じた状態）を示している。
【図４】図１のアクチュエータ倒立定量噴射機構の定量室流入モード（その２：横方向押圧操作部材を容器中央側に押圧して定量室流入弁が開き、定量室流出弁が閉じた状態）を示している。
【図５】図３および図４の定量室流入モードに続く倒立定量噴射モード（縦方向押付け操作部材の押付け操作を解除して定量室流入弁が閉じ、定量室流出弁が開いた状態）を示している。
【図６】本件出願人が提案済みのアクチュエータ定量噴射機構を示している。
【発明を実施するための形態】
【００２６】
上述したように本発明は、操作ボタン用コイルスプリング２３を用いるアクチュエータ倒立定量噴射機構および、当該操作ボタン用コイルスプリングを用いないアクチュエータ倒立定量噴射機構のいずれの場合も対象としている。
【００２７】
ただ、以下の図面に基づく記載では単なる説明の便宜上、原則的にこの操作ボタン用コイルスプリング２３を用いない形のアクチュエータ倒立定量噴射機構を前提としている。また、噴射用ガスとして液化ガスを用いることを前提とする。
【００２８】
図１乃至図５を用いて本発明を実施するための最良の形態を説明する。
【００２９】
なお、以下のアルファベット付き参照番号の構成要素（例えば切欠状部３ａ）は、原則として当該参照番号の数字部分の構成要素（例えばハウジング３）の一部であることを示している。
【００３０】
図１〜図５において、
Ａは流入弁から流出弁までの連続空間域からなり、定量噴射対象の内容物および液化ガスがいったん貯留される定量室，
Ｂは容器本体から定量室Ａへの内容物流入状態（図３，図４参照），
Ｃは定量室Ａから外部空間域への内容物噴射状態（図５参照），
をそれぞれ示している。
【００３１】
また、
１は後述の内容物および噴射用ガスを収納したエアゾール式製品の容器本体，
２は容器本体１の開口端部側に取り付けられたマウンティングキャップ，
３はマウンティングキャップ２の中央部分に取り付けられたハウジング，
３ａは当該ハウジングの周面の一部に形成されて、倒立定量噴射における内容物流入部として作用する切欠状部，
４は下側部分がハウジング３の内部に配設され、かつ、周知で後述のステム用コイルスプリング１０の弾性作用で正立時上方向に付勢されて、周知で後述のステムガスケット１１とともに定量室流入弁として作用するステム，
４ａは内側通路部，
４ｂは定量室流入弁の一方を構成する横孔部，
をそれぞれ示している。
【００３２】
また、
５はステム４の出力側外周面と強く嵌合して図示縦方向に連動し、かつ、後述の押付け操作部材７とともに定量室流出弁として作用する略筒状で内容物通過用の弁部材，
５ａは定量室流出弁の一方を構成するテーパ外周面状の中央円錐台状部，
５ｂは当該弁部材の正立時下側部分であってステム４の出力側外周面と強く嵌合する筒状部，
５ｃは中央円錐台状部５ａと当該筒状部との間に複数形成されて、それぞれステム４に続く容器内容物（ハウジング内容物）の通過用貫通部分として作用する孔部，
５ｄは後述の下筒状部６ａの内周面に当接してシール作用を呈するとともに定量室Ａを画定する環状の逆スカート部，
５ｅは当該弁部材の外周面に形成された環状鍔部
５ｆは倒立定量噴射モードにおいて、当該弁部材に対する後述の可動部材６の倒立時最下動位置（図５参照）を規制するため環状鍔部５ｅに形成された複数の係止用孔部，
をそれぞれ示している。
【００３３】
また、
６は弁部材５に対して上下動可能で、定量室Ａを画定する筒状の可動部材，
６ａは逆スカート部５ｄが密接する内筒状部，
６ｂは後述の押付け操作部材７と嵌合している外筒状部，
６ｃは弁部材５の係止用孔部５ｅのそれぞれに入れられた複数の脚部，
６ｄは当該脚部の外側部分に形成された縦方向抜け防止用の段部，
６ｅは当該可動部材の外周面周方向の１８０度離間した対向部分に形成されて、後述の押圧操作レバー８との間でカム作用を呈する計２個の従動直方体状凸部，
６ｆは当該従動直方体状凸部における後述の操作面８ａ側の倒立時下縁部分，
６ｇは従動直方体状凸部６ｅ同士の周方向中間部分に形成されて、当該可動部材の周方向位置決め作用を呈する回動阻止用凸状部，
をそれぞれ示している。
【００３４】
また、
７は可動部材６の外筒状部６ｂに固定されて定量室Ａを画定し、かつ、弁部材５とともに定量室流出弁を構成して外部空間域への通路部を備えた剣山式で上下方向に移動する押付け操作部材，
７ａは外筒状部６ｂが取り付けられる環状溝部，
７ｂは当該押付け操作部材の内外にわたって形成された通路部，
７ｃは当該通路部の出口側に複数形成された内容物噴射用の孔部，
７ｄは当該通路部の入口部分であって、弁部材５の中央円錐台状部５ａとの接離作用により定量室流出弁の他方を構成する円形縁部分，
７ｅは当該押付け操作部材の表面側に内容物噴射用の孔部７ｃを取り囲む態様で複数形成されて、後述の頭皮１３などの噴射対象部位に当接する凸状部（剣山），
をそれぞれ示している。
【００３５】
また、
８は利用者の押圧操作により容器中央側に向かう横方向に移動して押付け操作部材７をその被押付け位置へと駆動する押圧操作レバー，
８ａは後述の肩カバー９の外側に設定された操作面，
８ｂは当該押圧操作面から内側に続く略方形状の基部，
８ｃは当該基部の幅方向の両端部分それぞれから内側に延びる一対の直線状腕部，
８ｄは当該直線状腕部それぞれの先端部分に形成されて、従動直方体状凸部６ｅの倒立時下縁部分６ｆと当接してカム作用を呈する斜面，
８ｅは基部８ｂの正立時上面に形成された円弧凹状部，
８ｆは当該円弧凹状部の内側の正立時上面に形成された当該押圧操作レバーの後退位置規制用の段部，
をそれぞれ示している。
【００３６】
また、
９はマウンティングキャップ２のアンダーカット部分（マウンティングキャップの外端部と容器本体１との間の環凹状部分）に嵌合して、定量室流入モードおよび倒立定量噴射モードにおいても容器本体１に固定されたままの肩カバー，
９ａはマウンティングキャップ２と嵌合する外筒状部，
９ｂは当該外筒状部の下端側内周面に形成されたマウンティングキャップ嵌合用の環膨出部
９ｃは当該外筒状部の一部に形成されて、押圧操作レバー８の基部８ｂが通過し、かつ、その上下方向位置および横方向位置をそれぞれ案内するための開口部，
９ｄは当該開口部の正立時直上側の内周面部分であって、最後退位置の押圧操作レバー８の段部８ｆを係止する位置規制部，
９ｅは外筒状部９ａに連結されて可動部材６を上下方向に案内する内筒状部，
９ｆは当該内筒状部の図１，図２右側の縦長部分，
９ｇは当該縦長部分の内周面縦方向に形成されて、可動部材６の回動阻止用凸状部６ｆを上下方向に案内しつつその回動を規制する縦溝状部，
９ｈは外筒状部９ａと縦長部分９ｆとの間側に形成された正立時下側連結部，
９ｊは当該正立時下側連結部の両側からそれぞれ直線状腕部８ｃと同じ方向に延びる態様で形成されて、当該直線状腕部それぞれの正立時上面部分を案内する平板状で一対の正立時上側連結部，
９ｋは当該正立時上側連結部の図１，図２左側の対向部分の間に、押圧操作レバー８の基部８ｂおよび直線状腕部８ｃの横方向位置も併せて案内するために形成されたいわば吊り棚状部の一部であって、直線状腕部８ｃそれぞれの正立時下面部分を案内する平板状で図面垂直方向に延びる棚面案内部，
をそれぞれ示している。
【００３７】
また、
１０はハウジング３の内部に配設されてステム４を正立時上方向に付勢するステム用コイルスプリング，
１１は静止モードのステム４の横孔部４ｂを閉塞する形でマウンティングキャップ２の内端側内面部分とハウジング３の正立時上端側部分との間に配設されて、定量室流入弁の他方を構成するステムガスケット，
１２は着脱自在な形で、押圧操作レバー８の円弧凹状部８ｅおよび肩カバー９の外筒状部９ａに取り付けられたトップキャップ，
１３は内容物の定量噴射対象部位である頭皮，
をそれぞれ示している。
【００３８】
ここで、ハウジング３，ステム４，弁部材５，可動部材６，押付け操作部材７，押圧操作レバー８，肩カバー９およびトップキャップ１２などはポリプロピレン，ポリエチレン，ポリアセタール，ナイロン，ポリブチレンテレフタレートなどからなるプラスチック製部材である。
【００３９】
また、容器本体１およびマウンティングキャップ２は金属製のものである。ステム用コイルスプリング１０は金属製やプラスチック製のものであり、ステムガスケット１１はゴム製のものである。
【００４０】
図１〜図５のアクチュエータ倒立定量噴射機構の基本的特徴は、
(11)倒立定量噴射用の操作部材として、縦方向に移動可能で、頭皮１３などに押付けられる剣山式の複数の凸状部７ｅを形成した押付け操作部材７のみではなく、
(12)横方向に移動可能で、押付け操作部材７をその被押付け方向に駆動するための押圧操作部材８を併用している、
ことである。
【００４１】
図１および図２の静止モードでは、通常のエアゾール式製品と同様にステム４がステム用コイルスプリング１０の弾性力に基づいて上動し、ステムの横孔部４ｂはステムガスケット１１で閉塞されている。すなわち定量室流入弁は「閉」状態である。
【００４２】
このとき可動部材６およびこれと一体の押付け操作部材７は、その通路部７ｂの入口側の円形縁部分７ｄが弁部材５の中央円錐台状部５ａに当接した状態になっている。すなわち定量室流出弁は開状態に設定されている。
【００４３】
また、前回の倒立定量噴射モード（図４参照）における定量室出力弁の開きの程度（＝中央円錐台状部５ａと円形縁部分７ｄとの間隔）や、可動部材６の内筒状部６ａの内周面と弁部材５の逆スカート部５ｄとの摩擦力の大きさに応じて、定量室出力弁が開状態の静止モードに設定されることもある。もっともこのときの中央円錐台状部５ａと円形縁部分７ｄとの離間距離は0.1mmほどにすぎない。
【００４４】
なお、上述の操作ボタン用コイルスプリングを用いたアクチュエータ倒立定量噴射機構の静止モードにおいては勿論、定量室流出弁が「開」になっている。
【００４５】
図３の定量室流入モードは、利用者が容器本体１を把持しながら押付け操作部材７の突状部７ｅを頭皮１３に押し付けて、当該容器本体およびこれと一体の肩カバー９がステム４，弁部材５，可動部材６および押付け操作部材７に対して倒立時下方に移動した状態を示している。
【００４６】
図３の定量室流入モードを相対的にみれば、ステム４，弁部材５，可動部材６および押付け操作部材７が容器本体１に対して倒立時上方に移動しているともいえる。
【００４７】
図４の定量室流入モードは、利用者が押圧操作レバー８の操作面８ａを図示矢印のように内側へと押圧して、これにともなう当該押圧操作レバーの直線状腕部８ｃそれぞれの斜面８ｄと、可動部材６の従動直方体状凸部６ｅそれぞれの倒立時下縁部分６ｆとのカム作用により、当該可動部材およびこれと一体の押付け操作部材７が倒立時上方に移動した状態を示している。
【００４８】
図３および図４の定量室流入モードにおけるアクチュエータ側の動きを、容器本体１を基準にした相対的な位置関係でみると、いずれも、
(21)可動部材６と押付け操作部材７との一体物が倒立時上方向へと移動し、
(22)この移動にともなって、上述のごとくそれまで仮に開状態であった定量室流出弁も、その押付け操作部材７の円形縁部分７ｄが弁部材５の中央円錐台状部５ａに確実に密接して、閉状態に設定され、
(23)その後は、可動部材６，押付け操作部材７とともに、弁部材５およびこれと一体のステム４が閉状態の定量室流出弁を介して倒立時上方に移動し、
(24)このステム４の移動により、横孔部４ｂの入口側に設定されたステムガスケット１１の内側が変形して両者間のシール状態が解除され、すなわちそれまで閉じていた定量室流入弁が開状態に移行する。
【００４９】
すなわち図３および図４の定量室流入モードでは、定量室流入弁が開き、定量室流出弁が閉じた状態に移行している。
【００５０】
そのため、図３および図４の倒立状態の容器本体１の内容物および噴射用液化ガスが、それぞれ矢印Ｂで示すように「ハウジング３の切欠状部３ａ−ハウジング３の内周面とステム４の外周面との環状空間域−ステム４の横孔部４ｂ−ステム４の内側通路部４ａ−弁部材５の内部空間域−弁部材５の孔部５ｃ」を経て、定量室Ａに流入し、貯留される。
【００５１】
なお、上記(22)の「それまで仮に開状態であった定量室流出弁も、その押付け操作部材７の円形縁部分７ｄが弁部材５の中央円錐台状部５ａに確実に密接して、」となるのは、押付け操作部材７およびこれと一体の可動部材６が、弁部材５に対して、内筒状部６ａの内周面と逆スカート部５ｄとの摩擦力に抗する形で相対移動するからである。
【００５２】
図５の倒立定量噴射モードは、図３の押付け操作部材７の頭皮１３に対する押付け操作または図４の押圧操作レバー８の容器内側への押圧操作が解除されて定量室Ａの貯留内容物が外部空間域に噴射されるモード、すなわち定量室流入弁が閉じて定量室出力弁が開いた状態を示している。
【００５３】
なお、押付け操作部材７の押付け操作および押圧操作レバー８の押圧操作がともに行われている場合には、これら双方の操作がともに解除された場合にはじめて倒立定量噴射モードへと移行する。
【００５４】
図５の倒立定量噴射モードでは、
(31)ステム４およびこれと一体の弁部材５は、ステム用コイルスプリング１０の弾性力により下動して図１の静止モード位置に復帰し、その横孔部４ｂが通常のエアゾール式製品の場合と同じようにステムガスケット１１で閉塞され、
(32)可動部材６およびこれと一体の押付け操作部材７は、弁部材５（ステム４）に対し、それぞれの自重や、定量室Ａの貯留内容物の下方向圧力（液化ガスの圧力）に基づいて下動することにより、当該押付け操作部材の円形縁部分７ｄが当該弁部材の中央円錐台状部５ａから離間し、
(33)また、可動部材６および押付け操作部材７の弁部材５に対する最下動位置は、当該可動部材の段部６ｄが当該弁部材の環状鍔部５ｅと当接した位置に特定される。
【００５５】
このように定量室流入弁が閉じ、定量室出力弁が開いた状態の倒立定量噴射モードに移行すると、定量室Ａの貯留内容物は、液化ガスの作用で、図５の矢印Ｃで示すように「弁部材５の中央円錐台状部５ａと押付け操作部材７の円形縁部分７ｄとの隙間空間域−通路部７ｂ−複数の孔部７ｃ」を経て外部空間域に噴射される。
【００５６】
図５の倒立使用時において、可動部材６および押付け操作部材７が、定量室Ａの内容物の圧力作用（液化ガスの圧力作用）により弁部材５に対して下動するのは、当該押付け操作部材の定量室確定天井面部分に図示下方向の圧力が作用し、また、可動部材６および押付け操作部材７の自重が下方向に作用するからである。
【００５７】
このように図示のアクチュエータ倒立定量噴射機構では、定量室流出弁を開くための上述の操作ボタン用コイルスプリング２３を設けることなしに、当該定量室の貯留内容物の圧力自体などにより定量室流出弁を「開」状態に設定している。
【００５８】
したがって、この操作ボタン用コイルスプリングの分だけ、定量噴射機構の部品点数が減るとともに、押付け操作部材７や押圧操作レバー８への定量室流入モード設定操作が軽いものとなる。
【００５９】
上述の定量室流入モードおよび倒立定量噴射モードの各動作が担保されるためには、定量室Ａの貯留内容物の圧力に関し、
(41)定量室流入モードにおける、ステム４および弁部材５に対して倒立時上方向に作用する当該圧力の荷重が、ステム用コイルスプリング８の倒立時下方向への付勢力（例えば2.0kgf）よりも小さく、
(42)倒立定量噴射モードにおける、可動部材６および押付け操作部材７に対して倒立時下方向に作用する当該圧力の荷重と、当該可動部材および当該押付け操作部材の自重との合力が、逆スカート部５ｄと下筒状部６ａの内周面との間の倒立時上方向への摩擦力よりも大きい、
ことが必要である。
【００６０】
これは、例えば上記(41)の要件を満足しないと、上記貯留内容物の圧力の作用で弁部材５と押付け操作部材７とが相対的に離れる方向に移動して定量室流出弁が開き、通常の連続噴射状態のようになり得るからである。
【００６１】
以上の定量室Ａの貯留内容物の圧力に基づく上記荷重は例えば（0.3〜1.5）kgfに設定する。ただ、この数値は単なる一例であって、上記(41)，(42)の要件を満たす任意の値に設定し得る。
【００６２】
図示のアクチュエータ定量噴射機構の組み立て方は、概略、
(51)可動部材６の外筒状部６ｂを押付け操作部材７の環状溝部７ａに嵌合し、
(52)弁部材５を可動部材６の内筒状部６ａの内部に挿入して、当該弁部材が当該内筒状部から抜けないように係止用孔部５ｆを脚部６ｃの縦方向抜け防止用の段部６ｄより先まで押し入れ、
(53)押圧操作レバー８を、その段部８ｆが肩カバー９の位置規制部９ｄの内側に入るまで開口部９ｃに差し込み、
(54)上記(52)の組込み後の可動部材６を上記(53)の組込み後の肩カバー９の内筒状部９ｅに上方から、回動阻止用凸状部６ｇを縦溝状部９ｇに合致させながら嵌め込み、
(55)トップキャップ１２を肩カバー９の外筒状部９ａに取り付ける、
といった手順になる。
【００６３】
可動部材６，押圧操作レバー８および肩カバー９はプラスチック製なので、上記(54)の嵌め込み時にそれぞれ弾性復帰可能な範囲で変形して、直線状腕部８ｃ，内筒状部９ｅおよび正立時上側連結部９ｊは嵌め込まれてくる可動部材６上の従動直方体状凸部６ｅを乗り越えることができる。
【００６４】
本発明が図示のアクチュエータ定量噴射機構に限定されないのは勿論であり、押付け操作部材７を縦方向移動タイプではなく、チルトタイプの操作部材としてもよい。
【００６５】
本発明が適用されるエアゾール式製品としては、消臭剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，洗濯のり，ウレタンフォーム，消火器，接着剤，潤滑剤など各種用途のものがある。
【００６６】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる
【００７０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７１】
高分子化合物としては、メチルセルロース，ゼラチン，デンプン，カゼイン，ヒドロキシエチルセルロース，キサンタンガム，カルボキシビニルポリマーなどを用いる。
【００７２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００７３】
さらに、上記内容液以外の、懸濁剤，紫外線吸収剤，乳化剤，保湿剤，酸化防止剤、金属イオン封鎖剤なども用いることができる。
【００７４】
噴射用ガスとしては、液化石油ガス，ジメチルエーテル，フロロカーボンなどの液化ガスや、可溶性圧縮ガス（例えば炭酸ガス，亜酸化窒素など）を用いる。
【符号の説明】
【００７５】
（以下のＡ〜１３は図１〜図５において使用）
Ａ：定量室
Ｂ：容器本体から定量室への内容物流入状態（図３，図４参照）
Ｃ：定量室から外部空間域への内容物噴射状態（図５参照）
１：エアゾール式製品の容器本体
２：マウンティングキャップ
３：ハウジング
３ａ：切欠状部
４：ステム
４ａ：内側通路部
４ｂ：横孔部
５：内容物通過用の弁部材
５ａ：テーパ外周面状の中央円錐台状部
５ｂ：筒状部
５ｃ：孔部
５ｄ：逆スカート部
５ｅ：環状鍔部
５ｆ：係止用孔部
６：筒状の可動部材
６ａ：内筒状部
６ｂ：外筒状部
６ｃ：複数の脚部
６ｄ：縦方向抜け防止用の段部
６ｅ：計２個の従動直方体状凸部
６ｆ：倒立時下縁部分
６ｇ：回動阻止用凸状部
７：押付け操作部材
７ａ：環状溝部
７ｂ：通路部
７ｃ：孔部
７ｄ：円形縁部分
７ｅ：凸状部（剣山）
８：押圧操作レバー
８ａ：操作面
８ｂ：基部
８ｃ：一対の直線状腕部
８ｄ：斜面
８ｅ：円弧凹状部
８ｆ：押圧操作レバーの後退位置規制用の段部
９：肩カバー
９ａ：外筒状部
９ｂ：マウンティングキャップ嵌合用の環膨出部
９ｃ：開口部
９ｄ：位置規制部
９ｅ：内筒状部
９ｆ：縦長部分
９ｇ：縦溝状部
９ｈ：正立時下側連結部
９ｊ：正立時上側連結部
９ｋ：棚面案内部
１０：ステム用コイルスプリング
１１：ステムガスケット
１２：トップキャップ
１３：頭皮【００７６】
（以下の２１〜２６は図６において使用）
２１：ステム
２２：弁座部（本発明の弁部材に対応）
２３：操作ボタン用コイルスプリング
２４：環状弁座
２５：操作ボタン本体（本発明の押付け操作部材，可動部材に対応）
２６：環状弁体
【図１】
0005597893.tif 000002
【図２】
0005597893.tif 000003
【図３】
0005597893.tif 000004
【図４】
0005597893.tif 000005
【図５】
0005597893.tif 000006
【図６】
0005597893.tif 000007